(57)【要約】【課題】  不要な特異なページの削除を確実に行ない、有効な画像を有するページのみを効率よく処理できる画像処理装置を提供する。【解決手段】  原稿読取装置１００は、制御部１０１、スキャナ部１０２、画像処理部１０３、記憶部１０４、通信部１０５、操作パネル部１０６、原稿走査部駆動モータ１０７ａを駆動制御するドライバ１０７、原稿搬送ローラ駆動モータ１０８ａを駆動制御するドライバ１０８から構成される。  制御部１０１は、画像データから特異な画像を有するページを検出する検出機能と、検出した特異なページの画像を表示部１０６ａに表示させる表示機能と、利用者からの入力に基づいて特異なページを削除する削除機能とを有する。制御部１０１は、これらの機能を用いて、特異なページを検出し、利用者の指示に基づいて特異なページを削除するか否かを判断する読み飛ばしモードを備える。【選択図】図２
2009206678.tif 000002
【特許請求の範囲】
【請求項１】
ページ単位の画像を入力する入力部と、前記画像を表示する表示部と、前記画像から特異なページを検出して、前記表示部を制御する制御部とを備え、
前記制御部は、前記特異なページが不要か否かを利用者が確認できるように、前記特異なページを表示部に表示させることを特徴とする画像処理装置。
【請求項２】
制御部は、特異なページの画像を表示させることを特徴とする請求項１に記載の画像処理装置。
【請求項３】
制御部は、特異なページを含む連続するページの画像を表示させることを特徴とする請求項２に記載の画像処理装置。
【請求項４】
制御部は、特異なページの前後のページの画像を表示させることを特徴とする請求項３に記載の画像処理装置。
【請求項５】
特異なページを複数検出したとき、制御部は、前記複数の特異なページをリストにして表示させることを特徴とする請求項１に記載の画像処理装置。
【請求項６】
制御部は、特異なページのページ番号を表示させることを特徴とする請求項５に記載の画像処理装置。
【請求項７】
各ページを表示させるとき、制御部は、各ページにそのページ番号も表示させることを特徴とする請求項１〜４のいずれかに記載の画像処理装置。
【請求項８】
特異なページに対して利用者が不要を選択したとき、制御部は、前記特異なページを削除することを特徴とする請求項１〜７のいずれかに記載の画像処理装置。
【請求項９】
操作指示の入力を受け付ける操作部を備え、
制御部は、利用者が削除操作をしたとき、特異なページの後のページの画像を出力し、利用者が削除操作をしなかったとき、特異なページを削除せずに、前記特異なページの画像を出力することを特徴とする請求項８に記載の画像処理装置。
【請求項１０】
特異なページが無地のページであることを特徴とする請求項１〜９のいずれかに記載の画像処理装置。
【発明の詳細な説明】
【技術分野】
【０００１】
本発明は、原稿を読み取るスキャナ機能を備えた画像処理装置に関する。
【背景技術】
【０００２】
原稿を読み取るスキャナ機能を備えた画像読取装置である画像処理装置は、従来から種々のものが提案されている。例えば、プリンタ機能を有する画像形成装置と一体的に設けられた複合機や、読み取った原稿の画像を電子データのファイルとして出力する電子ファイリングシステム等が挙げられる。近年では、画像読取装置に２個の読み取りセンサを設け、原稿の表裏面の画像を同時に読み取り、処理する画像処理装置が提案される。
【０００３】
この種の画像処理装置を用いることで、利用者の操作性は著しく向上したが、他方、これに伴う新たな問題が発生している。
【０００４】
例えば、原稿の表裏面に画像のある両面原稿と、原稿の片面のみに画像のある片面原稿（他方の面が白紙画像）を混在して取り扱う場合が挙げられる。この場合、画像処理装置は、通常、利用者によって読み取り対象の原稿が片面原稿であるか両面原稿であるかが選択され、選択された原稿の種類に応じた原稿の読み取りを開始する。そうすると、画像処理装置は、読み取り対象の原稿を両面原稿として原稿の読み取りをするため、片面原稿の白紙面も同時に読み取ってしまう。そのため、読み取った画像をそのまま出力すると、不要な白紙の画像も出力されてしまう。
【０００５】
そこで、特許文献１には、ＭＰＵにより算出された各ページの有効画像情報量に基づいて検索手段が検索した一連の画像データから特異なページ（白紙ページ）を認識し、認識された特異なページを順次読み飛ばし、有効画像となる画像データのみをＬＢＰ（レーザ・ビーム・プリンタ）に出力する画像処理装置が開示されている。
【０００６】
特許文献２には、原稿１ページ毎の画像データに基づいて、ページ毎に特異なページ（白紙ページ）であるか否かを判別し、通常の画像データを有したページであると判定された場合は、読み取った画像データをメモリに記録して複写を行ない、特異なページ（白紙ページ）と判定された場合は、当該ページの画像データのメモリへの記録、複写を停止する画像処理装置が開示されている。
【０００７】
特許文献３には、画像読取部で原稿の画像の読み取りを行うと共に、白紙検出部で読み取った画像に特異なページ（白紙ページ）があるか否かを検出し、特異なページが検出された場合、表示部に利用者の介入が行える白紙検出報知画面を表示すると共に、音声出力部から白紙を検出した旨を音声ガイドで出力する画像処理装置が開示されている。
【特許文献１】特開平０８−０８８７０４号公報
【特許文献２】特開２００４−２４８３２６号公報
【特許文献３】特開２００６−０９４０２３号公報
【発明の開示】
【発明が解決しようとする課題】
【０００８】
ところで、特許文献１〜３の画像処理装置は、検出した特異なページを削除する際、その特異ページを利用者に対して表示していない。すなわち、利用者は、特異なページを目視で確認できない。そのため、例えば、画像読取部の誤動作等によって、利用者にとって必要な画像を有するページを特異なページとして誤って検出した場合、特許文献１〜３の画像処理装置は、有効な画像を有するページを削除してしまう問題がある。
【０００９】
本発明は、上記に鑑み、不要な特異なページの削除を確実に行ない、有効な画像を有するページのみを効率よく処理できる画像処理装置の提供を目的とする。
【課題を解決するための手段】
【００１０】
上記目的を達成するために、本発明では、ページ単位の画像を入力する入力部と、前記画像を表示する表示部と、前記画像から特異なページを検出して、前記表示部を制御する制御部とを備え、前記制御部は、前記特異なページが不要か否かを利用者が確認できるように、前記特異なページを表示部に表示させることを特徴とする。
【００１１】
ここで、特異なページとは、例えば、無地（白紙）の画像、歪んだ画像、記録シートに対して斜めになっている画像といった異状な画像を有するページのことである。
【００１２】
上記構成によると、制御部は、入力部からページ単位の画像が入力されると、入力された画像を解析する。詳しくは、制御部は、入力された画像の中に異状な画像があるか否かを判断する。入力された画像の中に異状な画像を確認すると、制御部は、異状な画像を有するページを特異なページとして検出する。
【００１３】
特異なページが検出されると、制御部は、前記特異なページを表示部に表示させる。例えば、制御部は、特異なページの画像を表示させる。あるいは、特異なページのページ番号を表示させる。あるいは、特異なページのサムネイル画像を表示させる。
【００１４】
上記構成によると、利用者は、表示部から特異なページの詳細の確認が可能となる。これにより、例えば、画像の少ないページ等、制御部の誤認識が発生した場合は、利用者によって要否の判断が可能となる。
【００１５】
制御部は、特異なページの画像を表示させるときに、特異なページのページ番号を一緒に表示させても良い。これにより、利用者は、２ページ目（表紙の裏）等のように認識が容易となり、特異なページがどのページなのかの判断が容易にできる。
【００１６】
特異なページを複数検出した場合は、制御部は、前記複数の特異なページをリストにして表示させても良い。この場合、リストには、特異なページのページ番号を表示させることが好適である。この構成によると、制御部は、一度に特異なページを利用者に対して報知することができる。これにより、利用者は、一目でどのページが特異なページかを確認することができるので、確認作業を短縮することができる。
【００１７】
制御部は、特異なページを含む連続するページの画像を表示させる。例えば、制御部は、特異なページの前後のページの画像を表示させる。この構成によると、利用者は、特異なページが不要なページか否かの判断を行う際に、特異なページの前後のページを確認することができる。これにより、利用者は、両面印刷や片面印刷等、出力時の状況を判断した上で特異なページが不要なページか否かの判断が可能となる。
【００１８】
特異なページに対して利用者が不要を選択したとき、制御部は、前記特異なページを削除する。具体的には、画像処理装置は、操作指示の入力を受け付ける操作部を備える。操作部から利用者が削除操作をしたとき、制御部は、特異なページを削除した後に、特異なページを含まない入力されたページを出力する。操作部から利用者が削除操作をしなかったときは、制御部は、特異なページを削除せずに入力されたページ、すなわち、特異なページを含む全てのページを出力する。
【発明の効果】
【００１９】
本発明によると、検出した特異なページを表示部に表示するので、利用者によって不要か否かの判断を特異なページの画像を目視しながら行なうことが可能となる。これにより、制御部の誤認識が発生した場合であっても、確実に必要なページと不要なページとを判別することができる。また、読み取った画像を印刷等の処理を行なう場合は、記録シートの削減が可能となる。さらに、大量原稿をコピーした場合であっても、処理後の手直しの必要が無く、トータル的な時間の節約が可能となる。
【発明を実施するための最良の形態】
【００２０】
以下、本発明の画像処理装置を詳細に説明する。なお、説明の便宜上、本実施形態の画像処理装置は、画像を読み取る画像読取装置１００として説明する。
【００２１】
画像読取装置１００は、図１に示すように、原稿を原稿搬送路Ｆに沿って自動的に搬送する自動原稿送り部（ＡＤＦ）１と、搬送されてきた原稿の表面側の画像を読み取る第１画像読取部１０と、搬送されてきた原稿の裏面側の画像を読み取る第２画像読取部２０とを備えている。
【００２２】
第１画像読取部１０は、主として光源１１と、第１ミラー１２ａと、第２ミラー１２ｂと、第３ミラー１２ｃと、レンズ１３と、ＣＣＤ（イメージセンサ）１４とから構成される縮小光学系の画像読取部である。第１画像読取部１０は、光源１１および第１ミラー１２ａを保持する光源ユニット１５と、第２ミラー１２ｂおよび第３ミラー１２ｃを保持するミラーユニット１６とを備える。
【００２３】
光源ユニット１５から照射され原稿から反射した光は、光源ユニット１５に設けられた第１ミラー１２ａで反射した後、ミラーユニット１６の第２ミラー１２ｂおよび第３ミラー１２ｃによって１８０°光路変換される。第３ミラー１２ｃから反射された光は、レンズ１３を介してＣＣＤ１４に結像し、電気的な画像データに変換される。
【００２４】
第２画像読取部２０は、光源２１と、第１ミラー２２ａと、第２ミラー２２ｂと、第３ミラー２２ｃと、第４ミラー２２ｄと、レンズ２３と、ＣＣＤ（イメージセンサ）２４とから構成される縮小光学系の画像読取部である。第２画像読取部２０は、光源２１と、第１〜第４ミラー２２ａ，２２ｂ，２２ｃ，２２ｄと、レンズ２３と、ＣＣＤ２４とが１つの集合体をなすようにユニット用筐体２６に収容されることによりユニット化されている。
【００２５】
ユニット化された第２画像読取部２０は、略Ｕ字状に弧を描く原稿搬送路Ｆ内に収まるように配設されている。なお、第２画像読取部２０において、光源２１、レンズ２３、ＣＣＤ２４は、第１画像読取部１０を構成するそれらと同一のものである。
【００２６】
第２画像読取部２０は、利用者から両面読み取りの要求がなされた際に、原稿搬送路Ｆを搬送される原稿の裏面側の画像を読み取る。具体的には、第１画像読取部１０によって原稿の表面側の画像が読み取られた後、該原稿は原稿搬送路Ｆに沿って排出トレイ３０へ向けて搬送される間に、第２画像読取部２０の光源２１の下部を通過する。この際、第２画像読取部２０の光源２１は、原稿の裏面側へ向けて光を照射する。原稿の裏面側から反射された光は、ガラス等の透明部材で形成された読取窓３２を通過し第１〜第４ミラー２２ａ，２２ｂ，２２ｃ，２２ｄによって順次光路変換された後、レンズ２３を介してＣＣＤ２４に結像し、電気的な画像データに変換される。
【００２７】
原稿読取装置１００は、主として第２画像読取部２０を収納するＡＤＦ１と、第１画像読取部１０とを収容する主走査部２とから構成されている。ＡＤＦ１と主走査部２はヒンジ（図示せず）によって連結される。
【００２８】
ＡＤＦ１は、ヒンジの回動によって主走査部２に対して開閉可能となっている。ＡＤＦ１は、主として原稿載置台５に載置された原稿を１ページずつＡＤＦ１の内部へ呼び込む呼び込みローラ６と、呼び込まれた原稿を原稿搬送路Ｆに沿って搬送する複数対の搬送ローラ７と、給紙タイミングを調節するレジストローラ８と、画像読み取りを終えた原稿を排紙トレイ３０へ排出する排紙ローラ９とから構成さる。
【００２９】
ＡＤＦ１の下面は、主走査部２のプラテン板４上に載置された読み取り原稿を上から押さえる押さえ板２８となっている。この押さえ板２８は、第１画像読取部２０の光源２１に対峙する部分が開放可能な蓋体２９となっている。
【００３０】
主走査部２は、主として筐体３と、透明なガラス板からなるプラテン板４と、筐体内に収容される第１画像読取部１０とから構成されている。主走査部２は、利用者が原稿をプラテン４上に載置して原稿の画像の読み取りを行う原稿固定方式による画像読取と、ＡＤＦ１によって自動的に原稿を搬送しながら原稿画像を読み取る原稿移動方式の両方式に対応している。
【００３１】
原稿固定方式によって原稿画像を読み取る場合、光源ユニット１５とミラーユニット１６は、原稿固定方式に対応したホームポジションにそれぞれ移動する。その後、光源ユニット１５は、原稿に対して光を照射しながら一定の速度で副走査方向（紙面に対して左右方向）に移動して原稿の画像を走査する。それと同時に、ミラーユニット１６は、光源ユニット１５の移動速度の１／２の移動速度で同じく副走査方向に移動する。
【００３２】
原稿移動方式によって原稿画像を読み取る場合、光源ユニット１５およびミラーユニット１６は、ホームポジションに静止したままとされ、ＡＤＦ１によってホームポジションの上部を通過するように搬送される原稿に対して光源１１から光を照射して画像を走査する。原稿の表面側から反射された光は、上述の原稿固定方式と同様に第１ミラー１２ａによって反射された後、ミラーユニット１６の第２ミラー１２ｂおよび第３ミラー１２ｃによって１８０°光路変換され、レンズ１３を介してＣＣＤ１４に結像し、電気的な画像データに変換される。
【００３３】
原稿読取装置１００は、図２に示すように、主として制御部１０１、スキャナ部１０２、画像処理部１０３、記憶部１０４、通信部１０５、操作パネル部１０６、原稿走査部駆動モータ１０７ａを駆動制御するドライバ１０７、原稿搬送ローラ駆動モータ１０８ａを駆動制御するドライバ１０８から構成されている。
【００３４】
スキャナ部１０２は、ページ単位の画像を入力する入力部であって、ＡＤＦ１と、第１画像読取部１０と、第２画像読取部２０と、各走査部とによって構成される。なお、第１画像読取部１０および第２画像読取部２０のＣＣＤ１４，２４は、光学縮小方式のＣＣＤ（Ｃｈａｒｇｅ  Ｃｏｕｐｌｅｄ  Ｄｅｖｉｃｅｓ）としているが、等倍光学方式のＣＩＳ（Ｃｏｎｔａｃｔ  Ｉｍａｇｅ  Ｓｅｎｓｏｒ）であってもよい。
【００３５】
画像処理部１０３は、第１画像読取部１０または第２画像読取部２０で読み取った光学データ、すなわち、読み取った画像を、ページ単位で電気的な画像データに変換する。
【００３６】
記憶部１０４は、例えば、ＲＡＭ、ＥＥＰＲＯＭ、ハードディスク、ＭＯ等で構成される。記憶部１０４は、処理されるデータ、すなわち、ページ単位の画像データや、入力された各種指示内容を記憶する。
【００３７】
通信部１０５は、直接、あるいは、ネットワークを介して接続されたコンピュータやプリンタといった外部機器２００との間で双方向通信を行なうものである。通信部１０５は、画像処理部１０３で画像処理したデータを外部機器２００に送信する。また、通信部１０５は、外部機器２００から送信されてきたデータを本装置が扱えるデータに展開するためのメモリを備えている。
【００３８】
操作パネル部１０６は、利用者からの操作指示の入力を受け付ける操作部であって、読み取った画像を表示する表示部１０６ａと、操作用のキーと、操作部１０６の処理を記述したプログラム、表示用のデータおよび表示用のフォント等を格納するＲＯＭと、作業用の記憶域であるＲＡＭとを備える。
【００３９】
表示部１０６ａは、画像を表示する液晶パネルと、前記液晶パネルを駆動制御する液晶ドライバとを備える。表示部１０６ａは、制御部１０１からの指示に基づいて、入力された画像を表示する。表示部１０６ａは、静電圧式のタッチパネルを有しており、入力を操作するための操作ボタンが形成される。
【００４０】
タッチパネルは、従来の静電圧式の検出センサ（図示せず）によって入力の有無を検出する。具体的には、タッチパネルの表面が押圧されると、押圧された部分の電極が接触し、電流が流れる。電流が流れたことにより、検出センサは、入力がされたことを検出する。また、検出センサは、電流が流れた位置、すなわち、押圧された位置を検出する。そして、検出センサは、検出した位置を制御部１０１に出力する。
【００４１】
キーは、キーマトリクスを通して制御部１０１に接続される。キーは、利用者のファイル選択作業等に使用される。
【００４２】
操作パネル部１０６は、主走査部２をＡＤＦ１より手前側まで拡張し、その上面部分に配置される。操作パネル部１０６は、原稿の読み取り時の動作モード（片面読み取りや両面読み取りなどの指定）を入力するときに用いられる。
【００４３】
原稿走査部駆動モータ１０７ａは、原稿固定方式によって原稿画像を読み取る場合に、光源ユニット１５およびミラーユニット１６を適宜の速度で副走査方向に移動させるためのモータである。原稿走査部駆動モータ１０７ａは、制御部１０１からの制御により、ドライバ１０７によって適宜駆動制御される。
【００４４】
原稿搬送ローラ駆動モータ１０８ａは、原稿搬送路Ｆに配置された呼び込みローラ６、搬送ローラ７、レジストローラ８、排紙ローラ９等の各ローラを駆動するモータである。原稿搬送ローラ駆動モータ１０８ａは、制御部１０１からの制御により、ドライバ１０８によって適宜駆動制御される。
【００４５】
制御部１０１は、装置全体の動作を制御する。制御部１０１は、ＣＰＵ、ＲＯＭ、ＲＡＭ等によって構成される。
【００４６】
入力された画像をシィおりして出力する際、制御部１０１は、画像データから特異な画像を有するページを検出する検出機能と、検出した特異なページの画像を表示部１０６ａに表示させる表示機能と、利用者からの入力に基づいて特異なページを削除する削除機能とを有する。制御部１０１は、これらの機能を用いて、特異なページを検出し、特異なページを削除するか否かを確認するための読み飛ばしモードを実行する。
【００４７】
検出機能とは、入力された画像の中から無地（白紙）の画像、歪んだ画像、記録シートに対して斜めになっている画像といった異状な画像を検出する機能である。制御部１０１は、入力された画像をページ単位で処理する。詳しくは、制御部１０１は、記憶部１０４に記憶されたページ単位の画像データを抽出し、抽出した画像データから文字や図形等の有無を検出する。あるいは、制御部１０１は、抽出した画像データからエッジを抽出し、エッジが傾いている、歪んでいるかを検出する。
【００４８】
表示機能とは、図３〜図５に示すように、検出機能によって検出された特異な画像を表示部１０６ａに表示させる機能である。具体的には、制御部１０６は、検出した特異な画像のページ番号を表示させるページ認識画面（図３参照）、特異なページの画像を表示させる特異なページのプレビュー画面（図４参照）、特異なページの前後のページの画像のプレビューを表示させる前後ページのプレビュー画面（図５参照）を表示部１０６ａに表示させる。
【００４９】
ページ認識画面は、制御部１０１が検出した特異なページを表示させるものである。例えば、特異なページが１ページしかない場合は、そのページのページ番号、あるいは、そのページの画像を表示させる。特異なページが複数ページある場合は、全ての特異なページのページ番号をリストにして表示させる。
【００５０】
特異なページのプレビュー画面は、ページ認識画面において、利用者が選択した特異なページの画像とその前後のページのページ番号を表示させるものである。具体的には、ページ認識画面において、利用者が見たい特異なページのページ番号を選択すると、制御部１０１は、特異なページのプレビュー画面を表示する。
【００５１】
前後ページのプレビュー画面とは、特異なページのプレビュー画面において、利用者が選択した特異なページの前後のページの画像を表示させるものである。具体的には、特異なページのプレビュー画面において、利用者が見たい前後のページのページ番号を選択すると、制御部１０１は、選択されたページの画像を表示する。
【００５２】
削除機能とは、利用者からの入力に基づいて、特異なページが不要か否かを判断し、不要と判断したきは、そのページに係る画像データを記憶部１０４から削除する。必要と判断したときは、そのページに係る画像データを記憶部１０４に残す。
【００５３】
具体的には、表示部１０６ａに、削除ボタン１０６ｂと確認ボタン１０６ｃとが表示される。利用者が削除ボタン１０６ｂを操作すると、制御部１０１は、選択された特異なページの画像データを記憶部１０４から削除する。例えば、図３の画面のように、複数の特異なページのページ番号が表示されているときに削除ボタン１０６ｂを操作すると、制御部１０１は、表示されている特異なページすべての画像データを記憶部１０４から削除する。図４の画面のように、選択された特異なページが表示されているときに削除ボタン１０６ｂを操作すると、制御部１０１は、表示されている特異なページの画像データを記憶部１０４から削除する。選択されたページが削除されると、制御部１０１は、削除した特異なページのページ番号を除外し、その他の特異なページのページ番号を表示する。
【００５４】
利用者が確認ボタン１０６ｃを操作すると、表示されている画面の前に表示されていた画面を表示する。例えば、図３の画面から図４の画面を表示したときに確認ボタン１０６ｃを操作すると、制御部１０１は、図３の画面を表示する。図４の画面から図５の画面を表示したときに確認ボタン１０６ｃを操作すると、制御部１０１は、図４の画面を表示する。
【００５５】
なお、図３の画面のときに確認ボタン１０６ｃを操作した場合、制御部１０１は、検出した特異なページを削除しないと判断し、記憶部１０４に記憶された画像データを通信部１０５を介して外部機器２００に出力する。
【００５６】
制御部１０１は、画像データを通信部１０５を介して外部機器２００に出力する。具体的には、制御部１０１は、特異なページを削除した場合、そのページの画像データを除いた画像データを出力する。複数の特異なページを削除した場合は、削除したすべてのページを除いた画像データを出力する。削除した特異なページがない場合は、記憶部１０４に記憶された画像データをそのまま出力する。
【００５７】
次に、具体的な読み飛ばしモードの動作を、図６のフローチャートに基づいて説明する。なお、説明の便宜上、特異なページとして検出されたページのページ番号は、図４に示すようにＰ３，Ｐ１０，Ｐ１４とし、そのうち、利用者が選択した特異なページがＰ３とする。
【００５８】
ＡＤＦ１に画像を有する原稿がセットされ、利用者から操作パネル部１０６を介して、コピー等の処理を実行する操作入力がされると、制御部１０１は、読み飛ばしモードを開始する（Ｓ１）。
【００５９】
原稿がＡＤＦ１により搬送され、画像読取部１０，２０により原稿の画像が読み取られる。読み取られた画像を画像処理部１０３によって画像データに変換され、記憶部１０４に記憶される。制御部１０１は、記憶された画像データを抽出し、その画像データから文字や図形等の有無から特異なページを検出する。
【００６０】
特異なページを検出しない場合（Ｓ２でＮ）、制御部１０１は、原稿の画像を記憶部１０４に記憶した後、通信部１０５を介して外部機器２００に出力する。出力処理が終了すると、画像読取装置１００は、待機状態となる。
【００６１】
特異なページを検出した場合（Ｓ２でＹ）、制御部１０１は、特異なページを検出した旨を表示部１０６ａに表示する（Ｓ３）。利用者が、読み飛ばしを選択した場合（Ｓ４でＹ）、すなわち、利用者が、特異なページを含む全てのページを出力することを選択した場合、制御部１０１は、特異なページの画像を含む画像データを通信部１０５を介して外部機器２００に出力する。出力処理が終了すると、画像読取装置１００は、待機状態となる。
【００６２】
利用者が特異なページの確認を選択した場合（Ｓ４でＮ）、図３に示すような特異なページのページ認識画面が表示され（Ｓ５）。利用者が確認ボタン１０６ｃを操作した場合、すなわち、読み飛ばしを選択した場合（Ｓ６でＹ）、制御部１０１は、特異なページの画像を含む画像データを通信部１０５を介して外部機器２００に出力する。出力処理が終了すると、画像読取装置１００は、待機状態となる。
【００６３】
利用者が確認ボタン１０６ｃを操作せず（Ｓ６でＮ）、利用者が特異なページのページ番号を操作した場合（Ｓ７）、すなわち、利用者が表示部１０６ａに表示された特異なページのページ番号の内、一つの特異なページのページ番号を選択した場合、制御部１０１は、図４に示すような選択された特異なページのプレビュー画面を表示する（Ｓ８）。
【００６４】
図４の画面が表示されているときに、利用者が、特異なページの前後のページのページ番号を選択し、確認ボタン１０６ｃを操作すると、選択されたページの画像が表示される（Ｓ９）。
【００６５】
特異なページのプレビュー画面において、利用者が削除ボタン１０６ｂを操作した場合、制御部１０１は、選択された特異なページに係る画像データを記憶部１０４から削除させた後、削除した特異なページを除外した他の特異なページのページ番号をページ認識画面に表示させる（Ｓ５）。
【００６６】
ページ認識画面において、利用者が確認ボタン１０６ｃを操作した場合は、残りの特異なページの画像を含む画像データを記憶部１０４に残し、その画像データを通信部１０５を介して外部機器２００に出力し、待機状態となる。
【００６７】
ページ認識画面において、利用者が特異なページのページ番号を操作した場合（Ｓ７）、制御部１０１は、選択された特異なページに対してＳ８〜Ｓ１１の処理を実行する。
【００６８】
特異なページのプレビュー画面において、利用者が確認ボタン１０６ｃを操作した場合（Ｓ１０でＮ）、すなわち、特異なページを削除しない場合、制御部１０１は、選択された特異なページに係る画像データを記憶部１０４に残し、記憶した特異なページを除外した他の特異なページのページ番号をページ認識画面に表示させる（Ｓ５）。
【００６９】
ページ認識画面において、利用者が確認ボタン１０６ｃを操作した場合は（Ｓ６でＹ）、残りの特異なページの画像を含む画像データを記憶部１０４に残し、その画像データを通信部１０５を介して外部機器２００に出力する。そして、画像読取装置１００は、待機状態となる。
【００７０】
ページ認識画面において、利用者が特異なページのページ番号を操作した場合（Ｓ７）、制御部１０１は、選択された特異なページに対してＳ８〜Ｓ１１の処理をする。
【００７１】
この処理を検出した特異なページ毎に行なう。検出した全ての特異なページに対して確認が終了すると、読み飛ばしモードが終了し、画像読取装置１００は、待機状態となる。
【００７２】
これにより、利用者は、検出された特異なページの画面のプレビューを確認することができるので、確認を行なった後に特異なページの削除の可否の適切な判断が可能となる。また、誤検出された場合であっても、必要なページが削除されることを防止できる。
【００７３】
なお、本発明は、上記実施形態に限定されるものではなく、本発明の範囲内で上記実施形態に多くの修正および変更を加え得ることは勿論である。本実施形態では、コピーモードで説明したが、ドキュメントファイリングモードやファックスモードであってもよい。
【００７４】
本実施形態では、画像処理装置を画像読取装置で説明したが、特にこの限りではなく、画像読取装置と読み取った画像を記録シートに印刷する画像形成装置とを一体的に構成された複合機であっても良い。または、ファックス通信をするＦＡＸ機であっても良い。
【００７５】
本実施形態では、ページ認識画面での特異なページの表示をページ番号としているが特にこの限りではなく、例えば、特異なページの画面を表示しても良い。あるいは、読み取った原稿の画像をすべて表示し、特異なページの画像の色を変える、大きさを変える等して、他の画像と変化させて表示させても良い。
【００７６】
本実施形態では、特異なページのプレビュー画面では、特異なページの画像を表示し、前後のページがそのページ番号を表示させているが、この限りではなく、特異なページお画像、および、その前後のページの画像を表示しても良い。この場合、サムネイル画像で表示しても良い。
【００７７】
本実施形態では、画像の入力が現行の画像としているが、特にこの限りではなく、例えば、直接、あるいは、ネットワークを介して接続されるパーソナルコンピュータといった外部機器から入力される画像データであっても良い。
【００７８】
本実施形態では、入力された画像を画像処理部で画像データに変換した後に、記憶部に記憶させているが、この限りではなく、例えば、画像データを揮発性メモリに一時的に記憶させ、特異なページに対する削除の可否判断の後に、必要とされたページを記憶部に記憶させても良い。
【００７９】
本実施形態では、削除ボタンを表示部に表示させているが、特にこの限りではなく、例えば、操作パネル部のキーに備えても良い。
【図面の簡単な説明】
【００８０】
【図１】本実施形態に係る画像処理装置を示す断面図
【図２】画像処理装置のブロック図
【図３】ページ認識画面を示す図
【図４】特異なページの画像のプレビュー画面を示す図
【図５】特異なページの前後のページの画像のプレビュー画面を示す図
【図６】特異なページの読み飛ばしモードのフローチャートを示す図
【符号の説明】
【００８１】
１００    画像読取装置
１０１    制御部
１０２    スキャナ部
１０３    画像処理部
１０４    記憶部
１０５    通信部
１０６    操作パネル部
１０６ａ  表示部
１０６ｂ  削除ボタン
１０６ｃ  確認ボタン
１０７    ドライバ
１０７ａ  原稿走査部駆動モータ
１０８    ドライバ
１０８ａ  原稿搬送ローラ駆動モータ
２００    外部機器
【図１】
2009206678.tif 000003
【図２】
2009206678.tif 000004
【図３】
2009206678.tif 000005
【図４】
2009206678.tif 000006
【図５】
2009206678.tif 000007
【図６】
2009206678.tif 000008
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
ページ単位の画像を入力する入力部と、前記画像を表示する表示部と、前記画像から特異なページを検出して、前記表示部を制御する制御部とを備え、
前記制御部は、前記特異なページが不要か否かを利用者が確認できるように、特異なページを検出したときに、前記特異なページを前記表示部に表示させることを特徴とする画像処理装置。
【請求項２】
制御部は、特異なページの画像を表示させることを特徴とする請求項１に記載の画像処理装置。
【請求項３】
制御部は、特異なページを含む連続するページの画像を表示させることを特徴とする請求項２に記載の画像処理装置。
【請求項４】
制御部は、特異なページの前後のページの画像を表示させることを特徴とする請求項３に記載の画像処理装置。
【請求項５】
特異なページを複数検出したとき、制御部は、前記複数の特異なページをリストにして表示させることを特徴とする請求項１に記載の画像処理装置。
【請求項６】
制御部は、特異なページのページ番号を表示させることを特徴とする請求項５に記載の画像処理装置。
【請求項７】
各ページを表示させるとき、制御部は、各ページにそのページ番号も表示させることを特徴とする請求項１〜４のいずれかに記載の画像処理装置。
【請求項８】
特異なページに対して利用者が不要を選択したとき、制御部は、前記特異なページを削除することを特徴とする請求項１〜７のいずれかに記載の画像処理装置。
【請求項９】
操作指示の入力を受け付ける操作部を備え、
制御部は、利用者が削除操作をしたとき、特異なページの後のページの画像を出力し、利用者が削除操作をしなかったとき、特異なページを削除せずに、前記特異なページの画像を出力することを特徴とする請求項８に記載の画像処理装置。
【請求項１０】
特異なページが無地のページであることを特徴とする請求項１〜９のいずれかに記載の画像処理装置。
【手続補正２】
【補正対象書類名】明細書
【補正対象項目名】００１０
【補正方法】変更
【補正の内容】
【００１０】
上記目的を達成するために、本発明では、ページ単位の画像を入力する入力部と、前記画像を表示する表示部と、前記画像から特異なページを検出して、前記表示部を制御する制御部とを備え、前記制御部は、前記特異なページが不要か否かを利用者が確認できるように、前記特異なページを検出したときに、前記特異なページを前記表示部に表示させることを特徴とする。